(57)【要約】     【課題】  良好な「竿の調子」を演出できる繊維強化樹脂素材からなる釣竿であり、その釣竿を構成する竿体の美しい湾曲をも演出できる技術を提供する。  【解決手段】  この釣竿を構成する穂先竿３は、炭素繊維若しくはガラス繊維などの強化繊維に合成樹脂を含浸させてなるプリプレグ素材からなる管状体１１と、管状体１１の内部の一定の軸方向位置に配置される高比重ゲル１２とを備えている。この高比重ゲル１２は、所望の共振振動数から計算される釣竿全体のバランスを加味して、その軸方向位置が設定されている。      【選択図】  図２
2005027587.tif 000002
【特許請求の範囲】
【請求項１】
釣竿を構成する筒状体である竿体であって、
炭素繊維若しくはガラス繊維などの強化繊維に合成樹脂を含浸させてなるプリプレグ素材からなる管状部分と、
前記管状部分の内部の一定の軸方向位置に配置される高比重ゲル又はリング型の錘とを備え、
前記高比重ゲル又はリング型の錘の重さが竿体全体の５〜５０重量％の重さである竿体。
【請求項２】
複数の竿体を連結してなる釣竿であって、
前記竿体は、炭素繊維若しくはガラス繊維などの強化繊維に合成樹脂を含浸させてなるプリプレグ素材からなる管状部分，前記管状部分の内部に配置される高比重ゲル又はリング型の錘と備え、前記高比重ゲル又はリング型の錘が竿体全体の５〜５０重量％の重さであり、
前記高比重ゲル又はリング型の錘が、釣竿全体の第２次の共振振動状態に於ける節若しくは腹の位置の少なくとも１カ所に当たる釣竿の軸方向位置に配置されている、釣竿。
【請求項３】
複数の竿体を連結してなる釣竿であって、
前記竿体は、炭素繊維若しくはガラス繊維などの強化繊維に合成樹脂を含浸させてなるプリプレグ素材からなる管状部分，前記管状部分の内部に配置される高比重ゲル又はリング型の錘と備え、前記高比重ゲル又はリング型の錘が竿体全体の５〜５０重量％の重さであり、
前記高比重ゲル又はリング型の錘が、釣竿全体の第３次の共振振動状態に於ける節若しくは腹の位置の少なくとも１カ所に当たる釣竿の軸方向位置に配置されている、釣竿。
【請求項４】
複数の竿体を連結してなる釣竿であって、
前記竿体は、炭素繊維若しくはガラス繊維などの強化繊維に合成樹脂を含浸させてなるプリプレグ素材からなる管状部分，前記管状部分の内部に配置される高比重ゲル又はリング型の錘と備え、前記高比重ゲル又はリング型の錘が竿体全体の５〜５０重量％の重さであり、
前記高比重ゲル又はリング型の錘が、釣竿全体の第４次の共振振動状態に於ける節若しくは腹の位置の少なくとも１カ所に当たる釣竿の軸方向位置に配置されている、釣竿。
【発明の詳細な説明】
【背景技術】
【０００１】
近時の多くの釣竿は、炭素繊維やガラス繊維などの強化繊維に合成樹脂を含浸させた繊維強化樹脂素材（プリプレグ素材）から構成されている。このような素材を用いることで、軽量化・物理的強度の向上などを図っている。また、釣竿は、釣竿仕掛けの投げ入れや魚の取込などの際の撓りが重要視され、屈曲性・剛性等も重要な要素とされる。そこで、釣竿の太さや肉厚等を調整して良好な釣竿の特性（竿の調子）を演出している。例えば、竿体を製造するための繊維強化樹脂素材を部分的に積層させながら巻回する技術（例えば、特許文献１参照）や、軸方向で部分的に弾性の異なる繊維強化樹脂素材を巻回する技術（例えば、特許文献２参照）などが提案されている。
【特許文献１】特開２００２−２０９４７７号公報
【特許文献２】特開平１１−２８９９２５号公報
【発明の開示】
【発明が解決しようとする課題】
【０００２】
しかし、従来の手法のように、プリプレグ素材を部分的に変化させ若しくは積層させて竿体を製造すると、釣竿のバランスを損ない逆に竿の調子を損なう恐れもある。そこで、従来とは異なる観点からの「竿の調子」の向上が求められている。即ち、従来の製造手法のように、プリプレグ素材を部分的に変化させ若しくは積層させて竿体を製造すると、プリプレグ素材の部分的に異なる領域で剛性に変化が生じ、竿体の連続的な湾曲を演出し難くなる。このため、「竿の調子」を向上させつつ、竿体の連続的な美しい湾曲を演出できるような技術の提供が求められているのである。
【０００３】
また、従来の製造手法はプリプレグ素材を焼成して合成樹脂を硬化させるものである。このため、プリプレグ素材は製造時（焼成時）に微妙に収縮変形することを避けられない。そこで、上述のように、プリプレグ素材を部分的に変化させ若しくは積層させて竿体を製造すると、焼成時にプリプレグ素材毎に異なる収縮変形が生じて成形性に劣る。
【０００４】
本発明の課題は、良好な「竿の調子」を演出できる繊維強化樹脂素材からなる釣竿を提供することにある。さらに、釣竿を構成する竿体の美しい湾曲を演出することも可能な釣竿を提供することにある。
【課題を解決するための手段】
【０００５】
本発明の竿体は、釣竿を構成する筒状体である竿体であって、炭素繊維若しくはガラス繊維などの強化繊維に合成樹脂を含浸させてなるプリプレグ素材からなる管状部分と、管状部分の内部の一定の軸方向位置に配置される高比重ゲル又はリング型の錘とを備えている。そして、この高比重ゲル又はリング型の錘の重さが竿体全体の５〜５０重量％の重さである。
【０００６】
ここで用いる高比重ゲルとしては、例えば、周知のゲル状素材をゲル化させる前の前駆体にタングステンなどの高比重金属粉末を混入し、ゲル化したものである。また、リング型の錘は、鉛・タングステンなどの高比重素材をリング型に加工した錘である。
【０００７】
管状部分の内部に配置されている高比重ゲル又はリング型の錘は、配置された軸方向位置においてその竿体を部分的に加重する。一方で、ゲルは竿体の管状部分の軸方向の曲げ剛性に殆ど関与せず、リング型の錘も同様である。このような高比重ゲルまたはリング型の錘によって、竿体の管状体の軸方向の曲げ剛性に悪影響を与えることなく、竿体の軸方向での重量バランスを調整し得る。そして、このような重量バランスの調整により竿の調子を調整できる。
【０００８】
なお、高比重ゲル又はリング型の錘が過剰に竿体全体を重量化させると逆に竿の調子を損なう。そこで、高比重ゲル又はリング型の錘の重さは竿体全体の５〜５０重量％の重さとするのが好ましい。さらに、重量層が竿体全体の１５〜５０重量％とするのが、より好ましい。
【０００９】
本発明の釣竿は、複数の竿体を連結してなる釣竿である。そして、この釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第２次の共振振動状態に於ける節若しくは腹の位置の少なくとも１カ所に当たる釣竿の軸方向位置に配置されている。
【００１０】
ここでいう「第２次の共振振動」とは、以下のような方法で測定された釣竿の共振振動である。まず、釣竿の竿元側端部から80mmの範囲を挟持体で挟持して固定し、釣竿を水平方向に維持する。この挟持体を介して加振器から釣竿に振動を加える（釣竿の振動数）。この加振器における加速度を加速度センサーで検知して入力加速度(A)とする。一方、釣竿の竿元側端部より180mmの位置における加速度を加速度センサーで検知して出力加速度(B)とする（図５参照）。そして、このB/Aの比を釣竿の振動数に対してプロットし、このB/Aの比がピークとなった状態（共振振動状態）を、釣竿の振動数の小さい方から順に第１次，第２次，第３次，第４次の共振振動とした。このB/Aの比を釣竿の振動数に対してプロットしたグラフの一例を示す（なお、この表１に示すグラフは一例であり、本件発明の内容の特定の数値に関連するものではない）。
【００１１】
【表１】
2005027587.tif 000003
上記グラフは一例であり、このような両者の関係は、釣竿を構成する竿体の材質，肉厚，径，重量分布などによって変化する。
【００１２】
このような共振振動の中で、第２次の共振振動の振動状態に於ける節または腹の位置に高比重ゲル若しくはリング型の錘を配置して、係る部分を部分的に加重することで、効果的に竿の調子を調整することができる。
【００１３】
例えば、腹の部分に高比重ゲル又はリング型の錘を配置して部分的に加重すれば、共振振動を生じる共振振動数を効果的にシフトさせることができ、共振振動状態を調整できる。節の部分に高比重ゲル又はリング型の錘を配置して部分的に加重すれば、共振振動を生じる共振振動数に与える影響を可及的に小さく抑えながら重量化を図ることができる。
【００１４】
また、本発明の別の釣竿も複数の竿体を連結してなる釣竿であって、釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第３次の共振振動状態に於ける節若しくは腹の位置の少なくとも１カ所に当たる釣竿の軸方向位置に配置されている。
【００１５】
ここでいう「第３次の共振振動」は、上述のような方法で測定される第３次の共振振動状態を意味する。第３次の共振振動の振動状態に於ける節または腹の位置に高比重ゲル又はリング型の錘を配置して、係る部分を部分的に加重することで、効果的に竿の調子を調整することができる。
【００１６】
さらに、本発明のさらに別の釣竿も、複数の竿体を連結してなる釣竿であって、この釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第４次の共振振動状態に於ける節若しくは腹の位置の少なくとも１カ所に当たる釣竿の軸方向位置に配置されている。
【００１７】
ここでいう「第４次の共振振動」は、上述のような方法で測定される第４次の共振振動状態を意味する。第４次の共振振動の振動状態に於ける節または腹の位置に高比重ゲル又はリング型の錘を配置して、係る部分を部分的に加重することで、効果的に竿の調子を調整することができる。
【発明の効果】
【００１８】
本発明によれば、予定した任意の竿の調子を演出できる繊維強化樹脂素材からなる釣竿を提供できる。そして、この釣竿は、竿体の美しい連続的な湾曲を損なうこともない。
【発明を実施するための最良の形態】
【００１９】
［第１実施形態］
以下、本発明の第１実施形態を採用した釣竿について説明する。
【００２０】
（ヘラ竿の構造）
この釣竿はヘラ鮒釣りに用いられるヘラ竿である。図１に示すように、手元側から順に、元竿１、中竿２、穂先竿３の３本の竿体から構成される。これらの竿体は炭素繊維若しくはガラス繊維などの強化繊維に合成樹脂を含浸させたプリプレグ素材を焼成して管状体が形成されている。後に詳しく説明するように、各竿体の管状体の内部には高比重ゲルが注入されている。これらの竿体は、それぞれ外観を天然竹に似せて塗装されており、例えば、竹の節や枝跡などを立体的に塗装してもよい。
【００２１】
各竿体は、いわゆる「印籠継ぎ」によって順次連結されている。例えば、図２に示すように、中竿２の穂先側端部に竿体とは別個に形成された細棒状の印籠芯１０が装入され接着剤等で穂先竿３に固定されている。この印籠芯１０を穂先竿３の竿元側に挿入して、中竿２と穂先竿３とは連結固定されている。もっとも、竿体同士の連結方法はこのような手法に限定されるものではなく、その他の周知の手法を適用することも当然に可能である。
【００２２】
また、元竿１の竿元側端部にはウレタン樹脂等を含浸させた紐体を巻回して形成されるグリップ４が設けられ、穂先竿３の穂先側端部には釣糸係止具５が装着されている。これら３本の竿体を順次連結した際のヘラ竿の全長は９尺（2700mm）となっている。
【００２３】
次に、図２において、このヘラ竿を構成する竿体の構造を、穂先竿３を例にして説明する。
【００２４】
穂先竿３は、管状体１１と管状体１１の内部の中空部分に注入されている高比重ゲル１２とから構成されている。
【００２５】
管状体１１は、プリプレグ素材を積層してなる層である。プリプレグ素材は同一のものを積層する場合や、異なる種類のものを積層する場合がある。例えば、炭素繊維が周方向乃至周方向から一定の角度をもった方向に配向されるようにして合成樹脂を含浸させたプリプレグ素材をテープ状に加工したものや、炭素繊維を軸方向に配向しエポキシ樹脂を含浸させたプリプレグ素材をシート状に加工したものなどが例示できる。このようなプリプレグ素材を所定のテーパが施された芯材の外周に巻回して積層し、炉内で焼成して合成樹脂を硬化させる。上述のように管状体の周面には、所定の塗装（竹の節や枝跡などの立体的な塗装）が焼成後に施されている。
【００２６】
高比重ゲル１２は、周知のゲル状素材（例えば、ポリビニルアルコール，N-イソプロピルアクリルアミド等）をゲル化させる前の前駆体にタングステンなどの高比重金属粉末を混入し、ゲル化したものである。このような高比重化したゲル素材を円柱状に加工したものが、ここで用いられている高比重ゲル１２である。高比重ゲル１２は、その外径を穂先竿３の所定の軸方向位置における内径にあわせて調整しておく。この所定の軸方向位置とは、後述のように計算して得る軸方向位置である。穂先竿３の管状体１１内に、複数の高比重ゲル１２を軸方向に間隔を隔てて配置してもよい。管状体１１部分を上述のようにプリプレグ素材を焼成して形成した後に、管状体１１の竿元側端部から押し込んで注入して、高比重ゲル１２を管状体１１内へ配置することができる。
【００２７】
なお、この高比重ゲル１２は、穂先竿３全体の重量の５〜５０重量％の割合で、好ましくは、１５〜５０重量％の割合で存在する。高比重ゲル１２が所定の範囲を超えて存在すると、竿体全体のバランスを損ない、竿の調子を却って不当なものとする危険がある。
【００２８】
なお、その他の中竿２や元竿１も、穂先竿３と同様に、管状体と高比重ゲルとから構成される。
【００２９】
（ヘラ竿の製造方法）
次に、このヘラ竿の製造方法について説明する。例えば、全長が2700mmであり、その第２次の共振振動数を5.45Hzに設定する場合を説明する。
【００３０】
まず、予定する元竿１〜穂先竿３を連結して一本のヘラ竿とした際の釣竿の第２次の共振振動数が5.45Hzとなるように、竿体上の重量バランスを計算する。なお、この共振振動数の意義については、既に説明したとおりである（図５参照）。
【００３１】
即ち、予定する元竿１〜穂先竿３の径・長さ・管状体を形成するプリプレグ素材・高比重ゲルの重さ等から、第２次の共振振動となる際の釣竿の振動数（共振振動数）が5.45Hzとなるような各竿体における重量分布をシミュレートし、上述の高比重ゲルを配置するべき軸方向範囲を個々の竿体毎に算出する。このような重量分布をシミュレートするには、有限要素法あるいはリンクモデル等の手法を用いることが出来る。
【００３２】
例えば、有限要素法による解析としては、図３に示すように、釣竿を節点で並進方向と回転方向との２つの自由度を有するＮ個の一次元のはり要素から構成される片持ちの弾性はりでモデル化する。各はり要素では要素内で一様断面であると仮定する。一端を固定端とし、他端を自由端としての境界条件のもとで共振振動数それに対応するモード形状を計算する。
【００３３】
また、リンクモデルによる解析としては、釣竿は使用中に大きな変形を起こすので大変形（幾何学的非線形性）に対応したマルチボディダイナミクスによるモデル化を行う。図４に示すように、ここでは、節点に回転バネを有するＮ個の剛体リンクからなるマルチボディを用いてモデル化する。リンクモデルを用いて釣竿をモデル化することにより、隣り合う剛体リンク同士の姿勢角に制限がなくなるので、どのような大変形でも記述することができる。拘束条件付きの釣竿の運動方程式は、式１として導出できる。
【数１】
2005027587.tif 000004
次に、それぞれの竿体の径乃至テーパ変化にあわせて設定されている芯材の周面に必要なプリプレグ素材を巻回して焼成し、各竿体の管状体を製造する。管状体を製造した後に、当該管状体の内部の計算された軸方向位置に、高比重ゲルを注入する。さらに、必要なその他の部品（釣糸係止部や印籠芯など）を装着し、必要な管状体の周面の加工も施す。
【００３４】
なお、この実施形態では、第２次の共振振動において釣竿を設定調整する場合を例示しているが、第３次，第４次の共振振動において釣竿を設定調整してもよい。
【００３５】
［他の実施形態］
（ａ）上記実施形態においては、穂先竿３の管状体１１の中空に高比重ゲル１２を注入したケースを説明した。このような高比重ゲル１２に代えて、図６に示すように、管状体１１内に中空にリング型の錘１３を配置することも可能である。
【００３６】
この錘１３としては、タングステンなどの高比重金属粉末を混入して焼成したセラミックス素材などをリング状に加工したものを例示できる。錘１３のリングの幅はなるべく短い方が、軸方向での穂先竿３の曲げ剛性に関与しないので好ましい。好ましくは、その幅は１ｍｍ程度とする。
【００３７】
このような錘１３は、例えば、穂先竿３の軸方向に間隔を隔てて所定の計算された軸方向位置に、１乃至複数個配置されることになる。錘１３の外径を所定の竿体の軸方向位置の内径にあわせて調整しておけば、竿体の竿元側端部から錘１３は容易に竿体内に配置可能である。また、必要に応じて、個々の錘１３の重さを変えて、様々な重さの錘１３を穂先竿３の管状体１１内に配置してもよい。このような個々の錘１３の重さや軸方向位置は、上述のような各竿体における重量分布をシミュレートより設定する。
（ｂ）竿体に種類に応じて、高比重ゲル・錘を選択して用いてもよい。例えば、特に、小径の穂先竿３の穂先側付近の内部にリング状の錘を配置することは難しい。従って、高比重ゲルを用いるのが好ましい。
（ｃ）上記実施形態では、特に「ヘラ竿」を例にして説明しているが、釣竿の種類もこれに限定されるものではない。その他のルアー竿，船竿，渓流竿などに利用することも当然に可能である。
【図面の簡単な説明】
【００３８】
【図１】本発明の第１実施形態を採用した釣竿の全体図。
【図２】図１の穂先竿３の断面図。
【図３】有限要素モデルにおける参考図。
【図４】リンクモデルにおける参考図。
【図５】本発明における共振振動数を測定する状態を示した図。
【図６】他の実施形態を採用した釣竿の穂先竿３の拡大断面図。
【符号の説明】
【００３９】
１  元竿
２  中竿    
３  穂先竿
４  グリップ
５  釣糸係止具
１１  管状体
１２  高比重ゲル
１３  リング状の錘
【図１】
2005027587.tif 000005
【図２】
2005027587.tif 000006
【図３】
2005027587.tif 000007
【図４】
2005027587.tif 000008
【図５】
2005027587.tif 000009
【図６】
2005027587.tif 000010
【手続補正書】
【提出日】平成15年7月9日(2003.7.9)
【手続補正１】
【補正対象書類名】明細書
【補正対象項目名】全文
【補正方法】変更
【補正の内容】
【発明の詳細な説明】
【技術分野】
【０００１】
本発明は釣竿、特に、炭素繊維がガラス繊維などの強化繊維に合成樹脂を含浸させた繊維強化樹脂からなる釣竿若しくはこれを構成する竿体に関する。
【背景技術】
【０００２】
近時の多くの釣竿は、炭素繊維やガラス繊維などの強化繊維に合成樹脂を含浸させた繊維強化樹脂素材（プリプレグ素材）から構成されている。このような素材を用いることで、軽量化・物理的強度の向上などを図っている。また、釣竿は、釣竿仕掛けの投げ入れや魚の取込などの際の撓りが重要視され、屈曲性・剛性等も重要な要素とされる。そこで、釣竿の太さや肉厚等を調整して良好な釣竿の特性（竿の調子）を演出している。例えば、竿体を製造するための繊維強化樹脂素材を部分的に積層させながら巻回する技術（例えば、特許文献１参照）や、軸方向で部分的に弾性の異なる繊維強化樹脂素材を巻回する技術（例えば、特許文献２参照）などが提案されている。
【特許文献１】特開２００２−２０９４７７号公報
【特許文献２】特開平１１−２８９９２５号公報
【発明の開示】
【発明が解決しようとする課題】
【０００３】
しかし、従来の手法のように、プリプレグ素材を部分的に変化させ若しくは積層させて竿体を製造すると、釣竿のバランスを損ない逆に竿の調子を損なう恐れもある。そこで、従来とは異なる観点からの「竿の調子」の向上が求められている。即ち、従来の製造手法のように、プリプレグ素材を部分的に変化させ若しくは積層させて竿体を製造すると、プリプレグ素材の部分的に異なる領域で剛性に変化が生じ、竿体の連続的な湾曲を演出し難くなる。このため、「竿の調子」を向上させつつ、竿体の連続的な美しい湾曲を演出できるような技術の提供が求められているのである。
【０００４】
また、従来の製造手法はプリプレグ素材を焼成して合成樹脂を硬化させるものである。このため、プリプレグ素材は製造時（焼成時）に微妙に収縮変形することを避けられない。そこで、上述のように、プリプレグ素材を部分的に変化させ若しくは積層させて竿体を製造すると、焼成時にプリプレグ素材毎に異なる収縮変形が生じて成形性に劣る。
【０００５】
本発明の課題は、良好な「竿の調子」を演出できる繊維強化樹脂素材からなる釣竿を提供することにある。さらに、釣竿を構成する竿体の美しい湾曲を演出することも可能な釣竿を提供することにある。
【課題を解決するための手段】
【０００６】
本発明の竿体は、釣竿を構成する筒状体である竿体であって、炭素繊維若しくはガラス繊維などの強化繊維に合成樹脂を含浸させてなるプリプレグ素材からなる管状部分と、管状部分の内部の一定の軸方向位置に配置される高比重ゲル又はリング型の錘とを備えている。そして、この高比重ゲル又はリング型の錘の重さが竿体全体の５〜５０重量％の重さである。
【０００７】
ここで用いる高比重ゲルとしては、例えば、周知のゲル状素材をゲル化させる前の前駆体にタングステンなどの高比重金属粉末を混入し、ゲル化したものである。また、リング型の錘は、鉛・タングステンなどの高比重素材をリング型に加工した錘である。
【０００８】
管状部分の内部に配置されている高比重ゲル又はリング型の錘は、配置された軸方向位置においてその竿体を部分的に加重する。一方で、ゲルは竿体の管状部分の軸方向の曲げ剛性に殆ど関与せず、リング型の錘も同様である。このような高比重ゲルまたはリング型の錘によって、竿体の管状体の軸方向の曲げ剛性に悪影響を与えることなく、竿体の軸方向での重量バランスを調整し得る。そして、このような重量バランスの調整により竿の調子を調整できる。
【０００９】
なお、高比重ゲル又はリング型の錘が過剰に竿体全体を重量化させると逆に竿の調子を損なう。そこで、高比重ゲル又はリング型の錘の重さは竿体全体の５〜５０重量％の重さとするのが好ましい。さらに、重量層が竿体全体の１５〜５０重量％とするのが、より好ましい。
【００１０】
本発明の釣竿は、複数の竿体を連結してなる釣竿である。そして、この釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第２次の共振振動状態に於ける節若しくは腹の位置の少なくとも１カ所に当たる釣竿の軸方向位置に配置されている。
【００１１】
ここでいう「第２次の共振振動」とは、以下のような方法で測定された釣竿の共振振動である。まず、釣竿の竿元側端部から80mmの範囲を挟持体で挟持して固定し、釣竿を水平方向に維持する。この挟持体を介して加振器から釣竿に振動を加える（釣竿の振動数）。この加振器における加速度を加速度センサーで検知して入力加速度(A)とする。一方、釣竿の竿元側端部より180mmの位置における加速度を加速度センサーで検知して出力加速度(B)とする（図５参照）。そして、このB/Aの比を釣竿の振動数に対してプロットし、このB/Aの比がピークとなった状態（共振振動状態）を、釣竿の振動数の小さい方から順に第１次，第２次，第３次，第４次の共振振動とした。このB/Aの比を釣竿の振動数に対してプロットしたグラフの一例を示す（なお、この表１に示すグラフは一例であり、本件発明の内容の特定の数値に関連するものではない）。
【００１２】
【表１】
2005027587.tif 000011
上記グラフは一例であり、このような両者の関係は、釣竿を構成する竿体の材質，肉厚，径，重量分布などによって変化する。
【００１３】
このような共振振動の中で、第２次の共振振動の振動状態に於ける節または腹の位置に高比重ゲル若しくはリング型の錘を配置して、係る部分を部分的に加重することで、効果的に竿の調子を調整することができる。
【００１４】
例えば、腹の部分に高比重ゲル又はリング型の錘を配置して部分的に加重すれば、共振振動を生じる共振振動数を効果的にシフトさせることができ、共振振動状態を調整できる。節の部分に高比重ゲル又はリング型の錘を配置して部分的に加重すれば、共振振動を生じる共振振動数に与える影響を可及的に小さく抑えながら重量化を図ることができる。
【００１５】
また、本発明の別の釣竿も複数の竿体を連結してなる釣竿であって、釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第３次の共振振動状態に於ける節若しくは腹の位置の少なくとも１カ所に当たる釣竿の軸方向位置に配置されている。
【００１６】
ここでいう「第３次の共振振動」は、上述のような方法で測定される第３次の共振振動状態を意味する。第３次の共振振動の振動状態に於ける節または腹の位置に高比重ゲル又はリング型の錘を配置して、係る部分を部分的に加重することで、効果的に竿の調子を調整することができる。
【００１７】
さらに、本発明のさらに別の釣竿も、複数の竿体を連結してなる釣竿であって、この釣竿を構成する竿体は、炭素繊維若しくはガラス繊維などの強化繊維に合成樹脂を含浸させてなるプリプレグ素材からなる管状部分，管状部分の内部に配置される高比重ゲル又はリング型の錘と備え、高比重ゲル又はリング型の錘が竿体全体の５〜５０重量％の重さである。そして、高比重ゲル又はリング型の錘が、釣竿全体の第４次の共振振動状態に於ける節若しくは腹の位置の少なくとも１カ所に当たる釣竿の軸方向位置に配置されている。
【００１８】
ここでいう「第４次の共振振動」は、上述のような方法で測定される第４次の共振振動状態を意味する。第４次の共振振動の振動状態に於ける節または腹の位置に高比重ゲル又はリング型の錘を配置して、係る部分を部分的に加重することで、効果的に竿の調子を調整することができる。
【発明の効果】
【００１９】
本発明によれば、予定した任意の竿の調子を演出できる繊維強化樹脂素材からなる釣竿を提供できる。そして、この釣竿は、竿体の美しい連続的な湾曲を損なうこともない。
【発明を実施するための最良の形態】
【００２０】
［第１実施形態］
以下、本発明の第１実施形態を採用した釣竿について説明する。
【００２１】
（ヘラ竿の構造）
この釣竿はヘラ鮒釣りに用いられるヘラ竿である。図１に示すように、手元側から順に、元竿１、中竿２、穂先竿３の３本の竿体から構成される。これらの竿体は炭素繊維若しくはガラス繊維などの強化繊維に合成樹脂を含浸させたプリプレグ素材を焼成して管状体が形成されている。後に詳しく説明するように、各竿体の管状体の内部には高比重ゲルが注入されている。これらの竿体は、それぞれ外観を天然竹に似せて塗装されており、例えば、竹の節や枝跡などを立体的に塗装してもよい。
【００２２】
各竿体は、いわゆる「印籠継ぎ」によって順次連結されている。例えば、図２に示すように、中竿２の穂先側端部に竿体とは別個に形成された細棒状の印籠芯１０が装入され接着剤等で穂先竿３に固定されている。この印籠芯１０を穂先竿３の竿元側に挿入して、中竿２と穂先竿３とは連結固定されている。もっとも、竿体同士の連結方法はこのような手法に限定されるものではなく、その他の周知の手法を適用することも当然に可能である。
【００２３】
また、元竿１の竿元側端部にはウレタン樹脂等を含浸させた紐体を巻回して形成されるグリップ４が設けられ、穂先竿３の穂先側端部には釣糸係止具５が装着されている。これら３本の竿体を順次連結した際のヘラ竿の全長は９尺（2700mm）となっている。
【００２４】
次に、図２において、このヘラ竿を構成する竿体の構造を、穂先竿３を例にして説明する。
【００２５】
穂先竿３は、管状体１１と管状体１１の内部の中空部分に注入されている高比重ゲル１２とから構成されている。
【００２６】
管状体１１は、プリプレグ素材を積層してなる層である。プリプレグ素材は同一のものを積層する場合や、異なる種類のものを積層する場合がある。例えば、炭素繊維が周方向乃至周方向から一定の角度をもった方向に配向されるようにして合成樹脂を含浸させたプリプレグ素材をテープ状に加工したものや、炭素繊維を軸方向に配向しエポキシ樹脂を含浸させたプリプレグ素材をシート状に加工したものなどが例示できる。このようなプリプレグ素材を所定のテーパが施された芯材の外周に巻回して積層し、炉内で焼成して合成樹脂を硬化させる。上述のように管状体の周面には、所定の塗装（竹の節や枝跡などの立体的な塗装）が焼成後に施されている。
【００２７】
高比重ゲル１２は、周知のゲル状素材（例えば、ポリビニルアルコール，N-イソプロピルアクリルアミド等）をゲル化させる前の前駆体にタングステンなどの高比重金属粉末を混入し、ゲル化したものである。このような高比重化したゲル素材を円柱状に加工したものが、ここで用いられている高比重ゲル１２である。高比重ゲル１２は、その外径を穂先竿３の所定の軸方向位置における内径にあわせて調整しておく。この所定の軸方向位置とは、後述のように計算して得る軸方向位置である。穂先竿３の管状体１１内に、複数の高比重ゲル１２を軸方向に間隔を隔てて配置してもよい。管状体１１部分を上述のようにプリプレグ素材を焼成して形成した後に、管状体１１の竿元側端部から押し込んで注入して、高比重ゲル１２を管状体１１内へ配置することができる。
【００２８】
なお、この高比重ゲル１２は、穂先竿３全体の重量の５〜５０重量％の割合で、好ましくは、１５〜５０重量％の割合で存在する。高比重ゲル１２が所定の範囲を超えて存在すると、竿体全体のバランスを損ない、竿の調子を却って不当なものとする危険がある。
【００２９】
なお、その他の中竿２や元竿１も、穂先竿３と同様に、管状体と高比重ゲルとから構成される。
【００３０】
（ヘラ竿の製造方法）
次に、このヘラ竿の製造方法について説明する。例えば、全長が2700mmであり、その第２次の共振振動数を5.45Hzに設定する場合を説明する。
【００３１】
まず、予定する元竿１〜穂先竿３を連結して一本のヘラ竿とした際の釣竿の第２次の共振振動数が5.45Hzとなるように、竿体上の重量バランスを計算する。なお、この共振振動数の意義については、既に説明したとおりである（図５参照）。
【００３２】
即ち、予定する元竿１〜穂先竿３の径・長さ・管状体を形成するプリプレグ素材・高比重ゲルの重さ等から、第２次の共振振動となる際の釣竿の振動数（共振振動数）が5.45Hzとなるような各竿体における重量分布をシミュレートし、上述の高比重ゲルを配置するべき軸方向範囲を個々の竿体毎に算出する。このような重量分布をシミュレートするには、有限要素法あるいはリンクモデル等の手法を用いることが出来る。
【００３３】
例えば、有限要素法による解析としては、図３に示すように、釣竿を節点で並進方向と回転方向との２つの自由度を有するＮ個の一次元のはり要素から構成される片持ちの弾性はりでモデル化する。各はり要素では要素内で一様断面であると仮定する。一端を固定端とし、他端を自由端としての境界条件のもとで共振振動数それに対応するモード形状を計算する。
【００３４】
また、リンクモデルによる解析としては、釣竿は使用中に大きな変形を起こすので大変形（幾何学的非線形性）に対応したマルチボディダイナミクスによるモデル化を行う。図４に示すように、ここでは、節点に回転バネを有するＮ個の剛体リンクからなるマルチボディを用いてモデル化する。リンクモデルを用いて釣竿をモデル化することにより、隣り合う剛体リンク同士の姿勢角に制限がなくなるので、どのような大変形でも記述することができる。拘束条件付きの釣竿の運動方程式は、式１として導出できる。
【数１】
2005027587.tif 000012
次に、それぞれの竿体の径乃至テーパ変化にあわせて設定されている芯材の周面に必要なプリプレグ素材を巻回して焼成し、各竿体の管状体を製造する。管状体を製造した後に、当該管状体の内部の計算された軸方向位置に、高比重ゲルを注入する。さらに、必要なその他の部品（釣糸係止部や印籠芯など）を装着し、必要な管状体の周面の加工も施す。
【００３５】
なお、この実施形態では、第２次の共振振動において釣竿を設定調整する場合を例示しているが、第３次，第４次の共振振動において釣竿を設定調整してもよい。
【００３６】
［他の実施形態］
（ａ）上記実施形態においては、穂先竿３の管状体１１の中空に高比重ゲル１２を注入したケースを説明した。このような高比重ゲル１２に代えて、図６に示すように、管状体１１内に中空にリング型の錘１３を配置することも可能である。
【００３７】
この錘１３としては、タングステンなどの高比重金属粉末を混入して焼成したセラミックス素材などをリング状に加工したものを例示できる。錘１３のリングの幅はなるべく短い方が、軸方向での穂先竿３の曲げ剛性に関与しないので好ましい。好ましくは、その幅は１ｍｍ程度とする。
【００３８】
このような錘１３は、例えば、穂先竿３の軸方向に間隔を隔てて所定の計算された軸方向位置に、１乃至複数個配置されることになる。錘１３の外径を所定の竿体の軸方向位置の内径にあわせて調整しておけば、竿体の竿元側端部から錘１３は容易に竿体内に配置可能である。また、必要に応じて、個々の錘１３の重さを変えて、様々な重さの錘１３を穂先竿３の管状体１１内に配置してもよい。このような個々の錘１３の重さや軸方向位置は、上述のような各竿体における重量分布をシミュレートより設定する。
（ｂ）竿体に種類に応じて、高比重ゲル・錘を選択して用いてもよい。例えば、特に、小径の穂先竿３の穂先側付近の内部にリング状の錘を配置することは難しい。従って、高比重ゲルを用いるのが好ましい。
（ｃ）上記実施形態では、特に「ヘラ竿」を例にして説明しているが、釣竿の種類もこれに限定されるものではない。その他のルアー竿，船竿，渓流竿などに利用することも当然に可能である。
【図面の簡単な説明】
【００３９】
【図１】本発明の第１実施形態を採用した釣竿の全体図。
【図２】図１の穂先竿３の断面図。
【図３】有限要素モデルにおける参考図。
【図４】リンクモデルにおける参考図。
【図５】本発明における共振振動数を測定する状態を示した図。
【図６】他の実施形態を採用した釣竿の穂先竿３の拡大断面図。
【符号の説明】
【００４０】
１  元竿
２  中竿
３  穂先竿
４  グリップ
５  釣糸係止具
１１  管状体
１２  高比重ゲル
１３  リング状の錘